(57)【要約】  時分割複信システムにおける測定参照信号の電力制御パラメータの設定方法であって、端末及びシステムに適用され、端末は測定参照信号ＳＲＳリソースの電力制御パラメータを確定し、前記電力制御パラメータにより測定参照信号の送信電力を確定することと、端末は前記確定された測定参照信号ＳＲＳの送信電力により前記測定参照信号ＳＲＳを送信し、基地局はＳＲＳリソースでの端末が使用する電力制御パラメータを確定することと、基地局は前記電力制御パラメータに基づいてＳＲＳ信号を受信することと、を含む。本発明の実施例は時分割複信システムにおける測定参照信号の電力制御パラメータの設定システムを更に開示し、上述方法に対応する。本発明の実施例は柔軟性が良く、ＴＤＤモードのアップリンクリソースの利用率を向上させることができる。【選択図】図２１
2016535471.tif 000002
【特許請求の範囲】
【請求項１】
時分割複信システムにおける測定参照信号の電力制御パラメータの設定方法であって、端末に適用され、
端末が測定参照信号ＳＲＳリソースの電力制御パラメータを確定し、前記電力制御パラメータにより測定参照信号の送信電力を確定することと、
端末が前記確定された測定参照信号ＳＲＳの送信電力により前記測定参照信号ＳＲＳを送信することと、を含む時分割複信システムにおける測定参照信号の電力制御パラメータの設定方法。
【請求項２】
2016535471.tif 000036
【請求項３】
2016535471.tif 000037
【請求項４】
前記ＳＲＳリソースは、時間領域位置、周波数領域位置、周波数領域コーム、シーケンス循環シフトの中の少なくとも１種を含む請求項１に記載の方法。
【請求項５】
前記端末が測定参照信号ＳＲＳリソースの電力制御パラメータを確定することは、
前記端末が前記基地局により設定されたＳＲＳプロセスにより電力制御パラメータを確定することを含み、異なるＳＲＳプロセスは異なるＳＲＳリソースを含み、前記異なるＳＲＳリソース又は異なるＳＲＳプロセスは異なる電力制御パラメータに対応する請求項１に記載の方法。
【請求項６】
前記ＳＲＳプロセスが１つである場合、該ＳＲＳプロセスの対応するＳＲＳリソースは同じ電力制御パラメータを使用する請求項５に記載の方法。
【請求項７】
端末の物理アップリンクシェアチャンネルＰＵＳＣＨを伝送するすべてのサブフレームが１つのサブフレームグループに属する場合、前記ＳＲＳプロセス数は１である請求項６に記載の方法。
【請求項８】
前記端末が測定参照信号ＳＲＳリソースの電力制御パラメータを確定することは、
前記端末が異なる時間領域位置で使用された電力制御パラメータを確定することを含む請求項１に記載の方法。
【請求項９】
電力制御パラメータが２つである場合、端末の隣接する周波数ホッピング周期の間の同じ周波数領域位置で使用する電力制御パラメータは異なる請求項８に記載の方法。
【請求項１０】
同一の周波数ホッピング周期内に、隣接する時間領域位置の間で異なる電力制御パラメータを交互に使用し、及び/又は同一の周波数ホッピング周期内に、隣接する２つの時間領域位置組合せにおける対応する時間領域位置で異なる電力制御パラメータを交互に使用し、及び/又は同一の周波数ホッピング周期内に、各時間領域位置で同じ電力制御パラメータを使用する請求項９に記載の方法。
【請求項１１】
２本のアンテナを利用してアンテナ選択機能のオフを行う場合に適用される請求項９又は１０に記載の方法。
【請求項１２】
電力制御パラメータが２つであり且つ２本のアンテナを利用してアンテナ選択機能のオンを行う場合、端末は１本のアンテナを用いて隣接する２つの周波数ホッピング周期の同じ周波数領域位置で２つの電力制御パラメータを交互に使用してＳＲＳを送信した後、他の１本のアンテナを利用して他の２つの隣接する２つの周波数ホッピング周期の同じ周波数領域位置で２つの電力制御パラメータを交互に使用してＳＲＳを送信する請求項８に記載の方法。
【請求項１３】
同一の周波数ホッピング周期内に、隣接する時間領域位置の間で異なる電力制御パラメータを交互に使用し、及び/又は同一の周波数ホッピング周期内に、隣接する２つの時間領域位置組合せにおける対応する時間領域位置で異なる電力制御パラメータを交互に使用し、及び/又は同一の周波数ホッピング周期内に、各時間領域位置で同じ電力制御パラメータを使用する請求項１２に記載の方法。
【請求項１４】
電力制御パラメータが２つであり且つ２本のアンテナを利用してアンテナ選択機能のオンを行う場合、端末は１つの電力制御パラメータを用いて隣接する２つの周波数ホッピング周期の同じ周波数領域位置で２本のアンテナを交互に使用してＳＲＳを送信した後、他の１つの電力制御パラメータを利用して他の２つの隣接する２つの周波数ホッピング周期の同じ周波数領域位置で２本のアンテナを交互に使用してＳＲＳを送信する請求項８に記載の方法。
【請求項１５】
同一の周波数ホッピング周期内に隣接する時間領域位置の間で異なるアンテナを交互に使用し、及び/又は同一の周波数ホッピング周期内に隣接する２つの時間領域位置組合せにおける対応する時間領域位置で異なるアンテナを交互に使用する請求項１４に記載の方法。
【請求項１６】
前記端末が測定参照信号ＳＲＳリソースの電力制御パラメータを確定することは、
前記端末が基地局のシグナリング指示に基づいてＳＲＳリソースの前記電力制御パラメータを確定することを含む請求項１に記載の方法。
【請求項１７】
前記端末が基地局のシグナリング指示に基づいてＳＲＳリソースの電力制御パラメータを確定することは、
前記端末が基地局の物理層シグナリングを受信し、該シグナリングが端末の使用するＳＲＳリソース設定を指示する場合、前記端末がＳＲＳリソース設定と電力制御パラメータとの関連関係に基づいて前記ＳＲＳリソース設定に対応する電力制御パラメータを確定することを含む請求項１６に記載の方法。
【請求項１８】
前記物理層シグナリングがダウンリンク制御情報DCI（Downlink Control Information）format 4である請求項１７に記載の方法。
【請求項１９】
前記ＳＲＳリソース設定は、周波数領域コーム設定、開始物理リソースブロックインデックス、周期及びサブフレームオフセット設定、ＳＲＳ帯域幅設定、シーケンス循環シフト設定、アンテナポート数設定の中の少なくとも１種を含む請求項１７に記載の方法。
【請求項２０】
前記ＳＲＳリソースはtrigger type 0 SRS及び/又はtrigger type 1 SRSに用いられる請求項１に記載の方法。
【請求項２１】
前記ＳＲＳリソースはtrigger type 1 SRSに用いられる場合、端末は物理層トリガーシグナリングの時間領域位置に基づいて、ＳＲＳを送信する時間領域位置及び対応する電力制御パラメータを確定する請求項２０に記載の方法。
【請求項２２】
端末が物理層トリガーシグナリングの時間領域位置に基づいて、ＳＲＳを送信する時間領域位置を確定することは、
物理層トリガーシグナリングの時間領域位置がサブフレームｎであると、ＳＲＳの時間領域位置ｎ＋ｋを送信することを含み、ｋ≧４であり、且つサブフレームｎ＋ｋはＳＲＳリソースを含むアップリンクサブフレームである請求項２１に記載の方法。
【請求項２３】
前記アップリンクサブフレームは、固定アップリンクサブフレーム及び/又は動的サブフレームから変化されたアップリンクサブフレームを含み、前記動的サブフレームは異なる周期において伝送方向が異なるサブフレームであり、前記周期が６４０ミリ秒よりも小さい請求項２２に記載の方法。
【請求項２４】
前記端末は基地局の設定に基づいてすべてのＳＲＳリソースにおいて同じ電力設定パラメータを使用する請求項１に記載の方法。
【請求項２５】
時分割複信システムにおける測定参照信号の電力制御パラメータの設定方法であって、基地局に適用され、
基地局はＳＲＳリソースにおいて端末が使用する電力制御パラメータを確定することと、
基地局が前記電力制御パラメータに基づいてＳＲＳ信号を受信することと、を含む時分割複信システムにおける測定参照信号の電力制御パラメータの設定方法。
【請求項２６】
2016535471.tif 000038
【請求項２７】
2016535471.tif 000039
【請求項２８】
前記ＳＲＳリソースは、時間領域位置、周波数領域位置、周波数領域コーム、シーケンス循環シフトの中の少なくとも１種を含む請求項２５に記載の方法。
【請求項２９】
基地局が、ＳＲＳリソースにおいて端末が使用する電力制御パラメータを確定することは、
前記基地局が端末にＳＲＳプロセスを設定することを含み、異なるＳＲＳプロセスは異なるＳＲＳリソースを含み、前記異なるＳＲＳリソース又は異なるＳＲＳプロセスは異なる電力制御パラメータに対応する請求項２５に記載の方法。 
【請求項３０】
前記ＳＲＳプロセスが１つである場合、該ＳＲＳプロセスの対応するＳＲＳリソースは同じ電力制御パラメータを使用する請求項２９に記載の方法。
【請求項３１】
端末の物理アップリンクシェアチャンネルＰＵＳＣＨを伝送するすべてのサブフレームが１つのサブフレームグループに属する場合、前記ＳＲＳプロセスは１である請求項３０に記載の方法。
【請求項３２】
基地局が、ＳＲＳリソースにおいて端末が使用する電力制御パラメータを確定することは、
基地局は端末が異なる時間領域位置で使用する電力制御パラメータを確定することを含む請求項２５に記載の方法。
【請求項３３】
電力制御パラメータが２つである場合、端末の隣接する周波数ホッピング周期の間の同じ周波数領域位置で使用する電力制御パラメータは異なる請求項３２に記載の方法。
【請求項３４】
同一の周波数ホッピング周期内に、隣接する時間領域位置の間で異なる電力制御パラメータを交互に使用し、及び/又は同一の周波数ホッピング周期内に、隣接する２つの時間領域位置組合せにおける対応する時間領域位置で異なる電力制御パラメータを交互に使用し、及び/又は同一の周波数ホッピング周期内に、各時間領域位置で同じ電力制御パラメータを使用する請求項３３に記載の方法。
【請求項３５】
２本のアンテナを利用してアンテナ選択機能のオフを行う場合に適用される請求項３３又は３４に記載の方法。
【請求項３６】
電力制御パラメータが２つであり且つ２本のアンテナを利用してアンテナ選択機能のオンを行う場合、端末は１本のアンテナを用いて隣接する２つの周波数ホッピング周期の同じ周波数領域位置で２つの電力制御パラメータを交互に使用してＳＲＳを送信した後、他の１本のアンテナを利用して他の２つの隣接する２つの周波数ホッピング周期の同じ周波数領域位置で２つの電力制御パラメータを交互に使用してＳＲＳを送信する請求項３２に記載の方法。
【請求項３７】
同一の周波数ホッピング周期内に、隣接する時間領域位置の間で異なる電力制御パラメータを交互に使用し、及び/又は同一の周波数ホッピング周期内に、隣接する２つの時間領域位置組合せにおける対応する時間領域位置で異なる電力制御パラメータを交互に使用し、及び/又は同一の周波数ホッピング周期内に、各時間領域位置で同じ電力制御パラメータを使用する請求項３６に記載の方法。
【請求項３８】
電力制御パラメータが２つであり且つ２本のアンテナを利用してアンテナ選択機能のオンを行う場合、端末は１つの電力制御パラメータを用いて隣接する２つの周波数ホッピング周期の同じ周波数領域位置で２本のアンテナを交互に使用してＳＲＳを送信した後、他の１つの電力制御パラメータを利用して他の２つの隣接する２つの周波数ホッピング周期の同じ周波数領域位置で２本のアンテナを交互に使用してＳＲＳを送信する請求項３２に記載の方法。
【請求項３９】
同一の周波数ホッピング周期内に隣接する時間領域位置の間で異なるアンテナを交互に使用し、及び/又は同一の周波数ホッピング周期内に隣接する２つの時間領域位置組合せにおける対応する時間領域位置で異なるアンテナを交互に使用する請求項３８に記載の方法。
【請求項４０】
基地局が、ＳＲＳリソースにおいて端末が使用する電力制御パラメータを確定することは、
前記基地局がシグナリングにより、ＳＲＳリソースの前記電力制御パラメータを確定するように端末に指示することを含む請求項２５に記載の方法。
【請求項４１】
前記基地局がシグナリングにより、ＳＲＳリソースの前記電力制御パラメータを確定するように端末に指示することは、
前記基地局が前記端末へ物理層シグナリングを送信し、該シグナリングが端末の使用するＳＲＳリソース設定を指示する場合、前記端末がＳＲＳリソース設定と電力制御パラメータとの関連関係に基づいて前記ＳＲＳリソース設定の対応する電力制御パラメータを確定することを含む請求項４０に記載の方法。
【請求項４２】
前記物理層シグナリングがDCI（Downlink Control Information）format 4である請求項４１に記載の方法。
【請求項４３】
ＳＲＳリソース設定は、周波数領域コーム設定、開始物理リソースブロックインデックス、周期及びサブフレームオフセット設定、ＳＲＳ帯域幅設定、循環シフト設定、アンテナポート数設定の中の少なくとも１種を含む請求項４１に記載の方法。
【請求項４４】
前記ＳＲＳリソースはtrigger type 0 SRS及び/又はtrigger type 1 SRSに用いられる請求項２５に記載の方法。
【請求項４５】
前記ＳＲＳリソースはtrigger type 1 SRSに用いられる場合、基地局は物理層トリガーシグナリングの時間領域位置に基づいて、ＳＲＳを送信する時間領域位置及び対応する電力制御パラメータを確定する請求項４４に記載の方法。
【請求項４６】
基地局が物理層トリガーシグナリングの時間領域位置に基づいて、ＳＲＳを送信する時間領域位置を確定することは、
物理層トリガーシグナリングの時間領域位置がサブフレームｎであると、ＳＲＳの時間領域位置ｎ＋ｋを送信することを含み、ｋ≧４であり、且つサブフレームｎ＋ｋがＳＲＳリソースを含むアップリンクサブフレームである請求項４５に記載の方法。
【請求項４７】
前記アップリンクサブフレームは、固定アップリンクサブフレーム及び/又は動的サブフレームから変化されたアップリンクサブフレームを含み、前記動的サブフレームは異なる周期で伝送方向が異なってよいサブフレームであり、前記周期が６４０ミリ秒よりも小さい請求項４６に記載の方法。
【請求項４８】
前記基地局はシグナリング設定によりすべてのＳＲＳリソースにおいて同じ電力設定パラメータを使用する請求項２５に記載の方法。
【請求項４９】
時分割複信システムにおける測定参照信号の電力制御パラメータの設定システムであって、端末に適用され、
測定参照信号ＳＲＳリソースの電力制御パラメータを確定するように設定される電力制御パラメータ確定モジュール、
前記電力制御パラメータにより測定参照信号の送信電力を確定するように設定される送信電力確定モジュール、
前記確定された測定参照信号ＳＲＳの送信電力により前記測定参照信号ＳＲＳを送信するように設定される送信モジュール、を含む時分割複信システムにおける測定参照信号の電力制御パラメータの設定システム。
【請求項５０】
時分割複信システムにおける測定参照信号の電力制御パラメータの設定システムであって、基地局に適用され、
ＳＲＳリソースにおいて端末が使用する電力制御パラメータを確定するように設定される電力制御パラメータ確定モジュール、
前記電力制御パラメータに基づいてＳＲＳ信号を受信するように設定される受信モジュール、を含む時分割複信システムにおける測定参照信号の電力制御パラメータの設定システム。
【発明の詳細な説明】
【技術分野】
【０００１】
本発明は通信分野に関し、特に時分割複信システムにおいて測定参照信号の電力制御パラメータを確定する方法に関する。
【背景技術】
【０００２】
図１は、ＬＴＥシステム時分割複信（Time Division Duplex、ＴＤＤと略称する）モードのフレーム構造模式図（注記：該フレーム構造は第２類フレーム構造、即ちframe structure type 2とも称する）である。このようなフレーム構造において、１つの１０ms（３０７２００Ts、１ms = ３０７２０Ts）の無線フレームは２つのハーフフレームに分けられ、各ハーフフレームの長さは５ms（１５３６００Ts）である。各ハーフフレームは５つの、長さが１msであるサブフレームを含み、各サブフレームの作用は表１に示され、Ｄはダウンリンク信号を伝送するためのダウンリンクサブフレームを表し、Ｕはアップリンク信号を伝送するためのアップリンクサブフレーム（又は一般的なアップリンクサブフレームと称する）を表し、Ｓは特別なサブフレームを表す。また、１つのアップリンク又はダウンリンクサブフレームは２つの０.５msのタイムスロットを含み、特別なサブフレームは３つの特別なタイムスロット、即ちダウンリンクパイロットタイムスロット（Downlink Pilot Time Slot、ＤｗＰＴＳと略称する）、ガードインターバル（Guard Period、ＧＰと略称する）及びアップリンクパイロットタイムスロット（Uplink Pilot Time Slot、ＵｐＰＴＳと略称する）を含む。
【０００３】
2016535471.tif 000003
【０００４】
2016535471.tif 000004
【０００５】
測定参照信号（ＳＲＳ、Sounding Reference Signal）はアップリンクチャンネルの測定に用いられ、ＰＵＳＣＨ（Physical Uplink Shared Channel、物理アップリンクシェアチャンネル）のリンク適応及び電力制御を実現する。
【０００６】
ＳＲＳは、それぞれトリガー方式０（即ちtrigger type 0）とトリガー方式１（即ちtrigger type 1）という２種類のトリガー方式を有する。trigger type 0は、高層シグナリングによりトリガーされ、周期の方式でＳＲＳを送信することをサポートする。trigger type 1は、物理層シグナリングによりトリガーされ、非周期の方式でＳＲＳを送信することをサポートする。基地局は一部のリソースを予め保留してtrigger type 1のＳＲＳを送信することに用いる。端末はサブフレームｎにおいて物理層のトリガーシグナリングを受信した後、サブフレームｎ＋ｋにおいてtrigger type1のＳＲＳを送信し、ｋ≧４であり、且つｎ＋ｋはtrigger type1 SRSを含むアップリンクサブフレームである。
【０００７】
ＳＲＳリソース設定パラメータは主に、時間領域パラメータ、周波数領域パラメータ、及びコードドメインパラメータを含む。
【０００８】
時間領域パラメータはＳＲＳの時間領域位置を規定し、主にＳＲＳ周期及びサブフレームオフセットを含む。セル（即ちcell specific）周期及びサブフレームオフセットは、ある１つのセルのＳＲＳが出現する可能性がある時間領域位置を規定し、端末（即ちUE specific又はUser Equipment specific）周期及びサブフレームオフセットは、セル内のあるＵＥのＳＲＳが出現する可能性がある時間領域位置を規定する。セル内のあるＵＥのUE specific SRSの時間領域位置は、該セルcell specific SRS時間領域位置のサブセットである。
【０００９】
表１は、ＬＴＥ ＴＤＤモードのcell specific SRS周期及びサブフレームオフセット設定である。表２は、ＬＴＥ ＴＤＤモードのtrigger type 0 のUE specific SRS周期及びサブフレームオフセット設定である。表３は、ＬＴＥ ＴＤＤモードのtrigger type 1 UE specific SRS周期及びサブフレームオフセット設定である。
【００１０】
【表１】
2016535471.tif 000005
【００１１】
【表２】
2016535471.tif 000006
【００１２】
【表３】
2016535471.tif 000007
【００１３】
注記：表２、表３において、SRS Subframe Offsetが０、１、５、６であることは、ＵｐＰＴＳ内に２つのＳＣ−ＦＤＭＡ符号がある場合、サブフレームオフセット０又は５が第１又は第２ハーフフレーム内のＵｐＰＴＳの１番目のＳＣ−ＦＤＭＡ符号を表し、サブフレームオフセット１又は６が第１又は第２ハーフフレーム内のＵｐＰＴＳの２番目のＳＣ−ＦＤＭＡ符号を表し、ＵｐＰＴＳ内に１つのＳＣ−ＦＤＭＡ符号がある場合、サブフレームオフセット１又は６が第１又は第２ハーフフレーム内のＵｐＰＴＳの唯一のＳＣ−ＦＤＭＡ符号を表すことを表す。
【００１４】
周波数領域パラメータはＳＲＳの周波数領域位置を規定し、ＳＲＳ帯域幅関連設定パラメータ、周波数領域開始位置、周波数領域コーム（comb）設定、周波数ホッピングパラメータを主に含む。
【００１５】
2016535471.tif 000008
【００１６】
【表４】
2016535471.tif 000009
【００１７】
割り当てられたＳＲＳ帯域幅が小さいと、ＵＥは、周波数ホッピングにより、より大きい帯域幅範囲のチャンネルを測定することができる。図３を例として、割り当てられた帯域幅が第２層（即ち、ｂ＝１）にあり、即ちＳＲＳ帯域幅が１６RBである場合、ＳＲＳを送信するｔとｔ＋１時点で、ＵＥはそれぞれ左、右の２つのＳＲＳ周波数帯域においてＳＲＳ信号を送信することができる。
【００１８】
コードドメインパラメータは、ＳＲＳが使用するシーケンス及びそのリングシフトを規定する。
【００１９】
2016535471.tif 000010
【００２０】
2016535471.tif 000011
【００２１】
2016535471.tif 000012
【００２２】
上記のように、どのように複数セットの電力制御パラメータに基づいてＳＲＳ信号を送信するかは、ＬＴＥ ＴＤＤモードが動的サブフレーム技術を実現する際に解決しようとする問題である。現在の手段は、ＳＲＳがどのサブフレームグループにおいて送信すれば、どのサブフレームグループの電力制御パラメータを使用することであり、このような方法の欠点は、以下の（1）〜（4）を含む。
【００２３】
（1）１つのサブフレームグループのサブフレームがいずれも伝送方向を変更でき、且つ一定の時間内にいずれもダウンリンク伝送に用いられる場合、該サブフレームグループの電力制御パラメータに基づいてチャンネル測定を実現することができない。アップリンクデータが存在する場合、タイムリーに該サブフレームグループにおいてアップリンク伝送を実現することができない。
【００２４】
（2）一般的に固定アップリンクサブフレームを１組とし、動的サブフレームを１組とする。図４に示すように、このような場合に、ＳＲＳ周期が５ms以上である場合、多くの場合に２つのサブフレームグループ内にいずれもＳＲＳリソースがあることを保証することができなく、２msの周期を使用すると、ＳＲＳのオーバーヘッドは大幅に向上する。
【００２５】
（3）ＬＴＥ ＴＤＤモードは、ＵｐＰＴＳを利用してＳＲＳ信号を伝送することができ、それにより一般的なアップリンクサブフレームリソースを節約し、データ伝送に用いる。ＵｐＰＴＳは固定的にアップリンク伝送に用いられるため、通常、ある１つのサブフレームグループ内に分けられる。この場合、アップリンクサブフレームにおいてＳＲＳリソースを割り当てる必要があり、オーバーヘッドを増加する。
【００２６】
（4）１つのサブフレームグループのサブフレームがいずれも伝送方向を変更できる場合、該方法はシグナリングが端末に動的サブフレームの伝送方向を通知することを必要とし、それにより動的サブフレームがアップリンクである場合、該サブフレームグループの電力制御パラメータを使用するＳＲＳを送信する。
【発明の概要】
【発明が解決しようとする課題】
【００２７】
本発明は、複数セットの電力制御パラメータを使用してＳＲＳ信号を送信する問題をより良く解決できる時分割複信システムにおける測定参照信号の電力制御パラメータの設定方法及びシステムを開示する。具体的に以下を含む。
【課題を解決するための手段】
【００２８】
本発明は、時分割複信システムにおける測定参照信号の電力制御パラメータの設定方法を開示し、端末に適用され、
端末は測定参照信号ＳＲＳリソースの電力制御パラメータを確定し、前記電力制御パラメータにより測定参照信号の送信電力を確定することと、
端末は前記確定された測定参照信号ＳＲＳの送信電力により前記測定参照信号ＳＲＳを送信することと、を含む。
【００２９】
2016535471.tif 000013
【００３０】
2016535471.tif 000014
【００３１】
好ましくは、前記ＳＲＳリソースは、時間領域位置、周波数領域位置、周波数領域コーム、シーケンス循環シフトの中の少なくとも１種を含む。
【００３２】
好ましくは、前記端末が測定参照信号ＳＲＳリソースの電力制御パラメータを確定することは、
前記端末が前記基地局により設定されたＳＲＳプロセスにより電力制御パラメータを確定することを含み、異なるＳＲＳプロセスは異なるＳＲＳリソースを含み、前記異なるＳＲＳリソース又は異なるＳＲＳプロセスは異なる電力制御パラメータに対応する。
【００３３】
好ましくは、前記ＳＲＳプロセスが１個である場合、該ＳＲＳプロセスの対応するＳＲＳリソースは同じ電力制御パラメータを使用する。
【００３４】
好ましくは、端末の物理アップリンクシェアチャンネルＰＵＳＣＨを伝送するすべてのサブフレームが１つのサブフレームグループに属する場合、前記ＳＲＳプロセス数は１である。
【００３５】
好ましくは、前記端末が測定参照信号ＳＲＳリソースの電力制御パラメータを確定することは、
前記端末が異なる時間領域位置で使用された電力制御パラメータを確定することを含む。
【００３６】
好ましくは、電力制御パラメータが２つである場合、端末の隣接する周波数ホッピング周期の間の同じ周波数領域位置で使用する電力制御パラメータは異なる。
【００３７】
好ましくは、
同一の周波数ホッピング周期内に、隣接する時間領域位置の間で異なる電力制御パラメータを交互に使用し、及び/又は同一の周波数ホッピング周期内に隣接する２つの時間領域位置組合せにおける対応する時間領域位置で異なる電力制御パラメータを交互に使用し、及び/又は同一の周波数ホッピング周期内に各時間領域位置で同じ電力制御パラメータを使用する。
【００３８】
好ましくは、前記方法は２本のアンテナを利用してアンテナ選択機能のオフを行う場合に適用される。
【００３９】
好ましくは、電力制御パラメータが２つである場合で且つ２本のアンテナを利用してアンテナ選択機能のオンを行う場合、端末は１本のアンテナで隣接する２つの周波数ホッピング周期の同じ周波数領域位置で２つの電力制御パラメータを交互に使用してＳＲＳを送信した後、他の１本のアンテナを利用して他の２つの隣接する２つの周波数ホッピング周期の同じ周波数領域位置で２つの電力制御パラメータを交互に使用してＳＲＳを送信する。
【００４０】
好ましくは、
同一の周波数ホッピング周期内に、隣接する時間領域位置の間で異なる電力制御パラメータを交互に使用し、及び/又は同一の周波数ホッピング周期内に隣接する２つの時間領域位置組合せにおける対応する時間領域位置で異なる電力制御パラメータを交互に使用し、及び/又は同一の周波数ホッピング周期内に各時間領域位置で同じ電力制御パラメータを使用する。
【００４１】
好ましくは、電力制御パラメータが２つである場合で且つ２本のアンテナを利用してアンテナ選択機能のオンを行う場合、端末は１つの電力制御パラメータを用いて隣接する２つの周波数ホッピング周期の同じ周波数領域位置で２本のアンテナを交互に使用してＳＲＳを送信した後、他の１つの電力制御パラメータを利用して他の２つの隣接する２つの周波数ホッピング周期の同じ周波数領域位置で２本のアンテナを交互に使用してＳＲＳを送信する。
【００４２】
好ましくは、
同一の周波数ホッピング周期内に隣接する時間領域位置の間で異なるアンテナを交互に使用し、及び/又は同一の周波数ホッピング周期内に隣接する２つの時間領域位置組合せにおける対応する時間領域位置で異なるアンテナを交互に使用する。
【００４３】
好ましくは、前記端末が測定参照信号ＳＲＳリソースの電力制御パラメータを確定することは、
前記端末が基地局のシグナリング指示に基づいてＳＲＳリソースの前記電力制御パラメータを確定することを含む。
【００４４】
好ましくは、前記端末が基地局のシグナリング指示に基づいてＳＲＳリソースの電力制御パラメータを確定することは、前記端末が基地局の物理層シグナリングを受信し、該シグナリングが端末の使用したＳＲＳリソース設定を指示する場合、前記端末がＳＲＳリソース設定と電力制御パラメータとの関連関係に基づいて前記ＳＲＳリソース設定の対応する電力制御パラメータを確定することを含む。
【００４５】
好ましくは、前記物理層シグナリングはDCI（Downlink Control Information）format 4である。
【００４６】
好ましくは、前記ＳＲＳリソース設定は、周波数領域コーム設定、開始物理リソースブロックインデックス、周期及びサブフレームオフセット設定、ＳＲＳ帯域幅設定、シーケンス循環シフト設定、アンテナポート数設定の中の少なくとも１種を含む。
【００４７】
好ましくは、前記ＳＲＳリソースは、trigger type 0 SRS及び/又はtrigger type 1 SRSに用いられる。
【００４８】
好ましくは、前記ＳＲＳリソースはtrigger type 1 SRSに用いられる場合、端末は物理層トリガーシグナリングの時間領域位置に基づいて、ＳＲＳを送信する時間領域位置及び対応する電力制御パラメータを確定する。
【００４９】
好ましくは、端末が物理層トリガーシグナリングの時間領域位置に基づいて、ＳＲＳを送信する時間領域位置を確定することは、物理層トリガーシグナリングの時間領域位置がサブフレームｎであると、ＳＲＳの時間領域位置ｎ＋ｋを送信することを含み、ｋ≧４であり、且つサブフレームｎ＋ｋはＳＲＳリソースを含むアップリンクサブフレームである。
【００５０】
好ましくは、
前記アップリンクサブフレームは、固定アップリンクサブフレーム及び/又は動的サブフレームから変化されたアップリンクサブフレームを含み、前記動的サブフレームは異なる周期において伝送方向が異なるサブフレームであり、前記周期は６４０ミリ秒よりも小さい。
【００５１】
好ましくは、
前記端末は基地局の設定に基づいてすべてのＳＲＳリソースにおいて同じ電力設定パラメータを使用する。
【００５２】
時分割複信システムにおける測定参照信号の電力制御パラメータの設定方法であって、基地局に適用され、
基地局はＳＲＳリソースにおいて端末が使用する電力制御パラメータを確定することと、
基地局が前記電力制御パラメータに基づいてＳＲＳ信号を受信することと、を含む。
【００５３】
2016535471.tif 000015
【００５４】
2016535471.tif 000016
【００５５】
好ましくは、前記ＳＲＳリソースは、時間領域位置、周波数領域位置、周波数領域コーム、シーケンス循環シフトの中の少なくとも１種を含む。
【００５６】
好ましくは、基地局が、ＳＲＳリソースにおいて端末が使用する電力制御パラメータを確定することは、
前記基地局が端末にＳＲＳプロセスを設定することを含み、異なるＳＲＳプロセスは異なるＳＲＳリソースを含み、前記異なるＳＲＳリソース又は異なるＳＲＳプロセスは異なる電力制御パラメータに対応する。
【００５７】
好ましくは、前記ＳＲＳプロセスが１個である場合、該ＳＲＳプロセスの対応するＳＲＳリソースは同じ電力制御パラメータを使用する。
【００５８】
好ましくは、端末の物理アップリンクシェアチャンネルＰＵＳＣＨを伝送するすべてのサブフレームが１つのサブフレームグループに属する場合、前記ＳＲＳプロセスは１である。
【００５９】
好ましくは、基地局が、ＳＲＳリソースにおいて端末が使用する電力制御パラメータを確定することは、
基地局は端末が異なる時間領域位置で使用する電力制御パラメータを確定することを含む。
【００６０】
好ましくは、電力制御パラメータが２つである場合、端末が隣接する周波数ホッピング周期の間の同じ周波数領域位置で使用する電力制御パラメータは異なる。
【００６１】
好ましくは、
同一の周波数ホッピング周期内に、隣接する時間領域位置の間で異なる電力制御パラメータを交互に使用し、及び/又は同一の周波数ホッピング周期内に隣接する２つの時間領域位置組合せにおける対応する時間領域位置で異なる電力制御パラメータを交互に使用し、及び/又は同一の周波数ホッピング周期内に各時間領域位置で同じ電力制御パラメータを使用する。
【００６２】
好ましくは、前記方法は、２本のアンテナを利用してアンテナ選択機能のオフを行う場合に適用される。
【００６３】
好ましくは、電力制御パラメータが２つである場合で且つ２本のアンテナを利用してアンテナ選択機能のオンを行う場合、端末は１本のアンテナで隣接する２つの周波数ホッピング周期の同じ周波数領域位置で２つの電力制御パラメータを交互に使用してＳＲＳを送信した後、他の１本のアンテナを利用して他の２つの隣接する２つの周波数ホッピング周期の同じ周波数領域位置で２つの電力制御パラメータを交互に使用してＳＲＳを送信する。
【００６４】
好ましくは、
同一の周波数ホッピング周期内に、隣接する時間領域位置の間で異なる電力制御パラメータを交互に使用し、及び/又は同一の周波数ホッピング周期内に隣接する２つの時間領域位置組合せにおける対応する時間領域位置で異なる電力制御パラメータを交互に使用し、及び/又は同一の周波数ホッピング周期内に各時間領域位置で同じ電力制御パラメータを使用する。
【００６５】
好ましくは、電力制御パラメータが２つである場合で且つ２本のアンテナを利用してアンテナ選択機能のオンを行う場合、端末は１つの電力制御パラメータを用いて隣接する２つの周波数ホッピング周期の同じ周波数領域位置で２本のアンテナを交互に使用してＳＲＳを送信した後、他の１つの電力制御パラメータを利用して他の２つの隣接する２つの周波数ホッピング周期の同じ周波数領域位置で２本のアンテナを交互に使用してＳＲＳを送信する。
【００６６】
好ましくは、
同一の周波数ホッピング周期内に隣接する時間領域位置の間で異なるアンテナを交互に使用し、及び/又は同一の周波数ホッピング周期内に隣接する２つの時間領域位置組合せにおける対応する時間領域位置で異なるアンテナを交互に使用する。
【００６７】
好ましくは、基地局が、ＳＲＳリソースにおいて端末が使用する電力制御パラメータを確定することは、
前記基地局がシグナリングにより、ＳＲＳリソースの前記電力制御パラメータを確定するように端末に指示することを含む。
【００６８】
好ましくは、前記基地局がシグナリングにより、ＳＲＳリソースの前記電力制御パラメータを確定するように端末に指示することは、前記基地局が前記端末へ物理層シグナリングを送信し、該シグナリングが端末の使用したＳＲＳリソース設定を指示する場合、前記端末がＳＲＳリソース設定と電力制御パラメータとの関連関係に基づいて前記ＳＲＳリソース設定の対応する電力制御パラメータを確定することを含む。
【００６９】
好ましくは、前記物理層シグナリングはDCI（Downlink Control Information）format 4である。
【００７０】
好ましくは、
ＳＲＳリソース設定は、周波数領域コーム設定、開始物理リソースブロックインデックス、周期及びサブフレームオフセット設定、ＳＲＳ帯域幅設定、循環シフト設定、アンテナポート数設定の中の少なくとも１種を含む。
【００７１】
好ましくは、前記ＳＲＳリソースはtrigger type 0 SRS及び/又はtrigger type 1 SRSに用いられる。
【００７２】
好ましくは、
前記ＳＲＳリソースはtrigger type 1 SRSに用いられる場合、基地局は物理層トリガーシグナリングの時間領域位置に基づいて、ＳＲＳを送信する時間領域位置及び対応する電力制御パラメータを確定する。
【００７３】
好ましくは、基地局が物理層トリガーシグナリングの時間領域位置に基づいて、ＳＲＳを送信する時間領域位置を確定することは、物理層トリガーシグナリングの時間領域位置がサブフレームｎであると、ＳＲＳの時間領域位置ｎ＋ｋを送信することを含み、ｋ≧４であり、且つサブフレームｎ＋ｋはＳＲＳリソースを含むアップリンクサブフレームである。
【００７４】
好ましくは、前記アップリンクサブフレームは、固定アップリンクサブフレーム及び/又は動的サブフレームから変化されたアップリンクサブフレームを含む。前記動的サブフレームは異なる周期において伝送方向が異なってよいサブフレームであり、前記周期は６４０ミリ秒よりも小さい。
【００７５】
好ましくは、
前記基地局はシグナリング設定によりすべてのＳＲＳリソースにおいて同じ電力設定パラメータを使用する。
【００７６】
時分割複信システムにおける測定参照信号の電力制御パラメータの設定システムであって、端末に適用され、
測定参照信号ＳＲＳリソースの電力制御パラメータを確定するように設定される電力制御パラメータ確定モジュール、
前記電力制御パラメータにより測定参照信号の送信電力を確定するように設定される送信電力確定モジュール、
前記確定された測定参照信号ＳＲＳの送信電力により前記測定参照信号ＳＲＳを送信するように設定される送信モジュール、を含む。
【００７７】
時分割複信システムにおける測定参照信号の電力制御パラメータの設定システムであって、基地局に適用され、
ＳＲＳリソースにおいて端末が使用する電力制御パラメータを確定するように設定される電力制御パラメータ確定モジュール、
前記電力制御パラメータに基づいてＳＲＳ信号を受信するように設定される受信モジュール、を含む。
【発明の効果】
【００７８】
本発明の実施例の有益な効果は以下の（1）〜（3）である。
【００７９】
（1）柔軟性がより良く、ＴＤＤモードのアップリンクリソース利用率を向上させることができる。本発明の提示した方法に基づいて、異なる電力制御パラメータを使用するＳＲＳは任意のアップリンクサブフレーム（固定アップリンクサブフレーム、動的サブフレーム及びＵｐＰＴＳを含む）において送信することができ、且つＳＲＳ周期が５msよりも小さいことを要求しない。ＳＲＳはＵｐＰＴＳにおいて送信する場合、アップリンクサブフレームリソースを節約することができ、データ伝送に用いられる。ＳＲＳ周期が５msよりも大きい場合、ＳＲＳのオーバーヘッドを低減させることができる。
【００８０】
（2）サブフレームが伝送方向を変更する場合、異なる電力制御パラメータのＳＲＳの送信及び対応するチャンネル測定に影響しない。各サブフレームグループのＰＵＳＣＨの電力制御及びリンク適応性能を保証する。
【００８１】
（3）本発明の実施例の提示した方法は、固定アップリンクサブフレームにおいて異なる電力制御パラメータに対してＳＲＳを送信することをサポートするため、サブフレーム伝送方向の関連シグナリングに対する依存性が高くない。
【図面の簡単な説明】
【００８２】
【図１】図１は、ＬＴＥシステムのＴＤＤモードのフレーム構造の模式図である。
【図２】図２は、物理リソースブロック構造の模式図である。
【図３】図３は、ＳＲＳ信号周波数領域設定の模式図である。
【図４】図４は、ＳＲＳ周期が５msに等しい場合、従来方法の作動模式図である。
【図５】図５は、実施例１（周波数領域の周波数ホッピング位置が４つである）である。
【図６】図６は、実施例1（周波数領域の周波数ホッピング位置が３つである）である。
【図７】図７は、実施例２の模式図である。
【図８】図８は、実施例３の模式図である。
【図９】図９は、実施例４の模式図である。
【図１０】図１０は、実施例５の模式図（周波数ホッピング位置が３つである）である。
【図１１】図１１は、実施例５の模式図（周波数ホッピング位置が２つである）である。
【図１２】図１２は、実施例５の模式図（周波数ホッピング位置が４つである）である。
【図１３】図１３は、実施例６の模式図である。
【図１４】図１４は、実施例７の模式図（Trigger type 0 SRS）である。
【図１５】図１５は、実施例７の模式図（Trigger type 1 SRS）である。
【図１６】図１６は、実施例８の模式図である。
【図１７】図１７は、実施例９の模式図（周波数ホッピング位置が３つである）である。
【図１８】図１８は、実施例９の模式図（周波数ホッピング位置が４つである）である。
【図１９】図１９は、実施例１０の模式図（周波数ホッピング位置が３つである）である。
【図２０】図２０は、実施例１０の模式図（周波数ホッピング位置が４つである）である。
【図２１】図２１は、本発明の実施例における方法フローチャート（端末に適用される）である。
【図２２】図２２は、本発明の実施例における方法フローチャート（基地局に適用される）である。
【図２３】図２３は、本発明の実施例におけるシステムブロック図（端末に適用される）である。
【図２４】図２４は、本発明の実施例におけるシステムブロック図（端末に適応される）である。
【発明を実施するための形態】
【００８３】
以下、図面を参照しながら本発明を詳しく説明する。
【００８４】
方法の実施例
本発明の実施例は、時分割複信システムにおける測定参照信号の電力制御パラメータの設定方法を開示し、それぞれ端末と基地局に適用され、図２１と２２に示す。
【００８５】
時分割複信システムにおける測定参照信号の電力制御パラメータの設定方法であって、端末に適用され、下記のステップを含む。
S01、端末が測定参照信号ＳＲＳリソースの電力制御パラメータを確定し、前記電力制御パラメータにより測定参照信号の送信電力を確定する。
S02、端末が前記確定された測定参照信号ＳＲＳの送信電力により前記測定参照信号ＳＲＳを送信する。
【００８６】
時分割複信システムにおける測定参照信号の電力制御パラメータの設定方法であって、基地局に適用され、下記のステップを含む。
S11、基地局が、ＳＲＳリソースにおいて端末が使用する電力制御パラメータを確定する。
S12、基地局が前記電力制御パラメータに基づいてＳＲＳ信号を受信する。
【００８７】
2016535471.tif 000017
【００８８】
2016535471.tif 000018
【００８９】
ＳＲＳリソースとは、時間領域位置及び/又は周波数領域位置である。異なるＳＲＳリソースが異なる電力制御パラメータを使用することは、異なる時間領域位置及び/又は周波数領域位置で異なる電力制御パラメータを使用することである。ＳＲＳ リソースはＵｐＰＴＳ内、且つ１つのＵｐＰＴＳ内にＳＲＳ（２ms周期）に用いる２つの符号があり、且つ該ＳＲＳリソースはTrigger type 0 SRSに用いられる。
【００９０】
図５は、周波数領域の周波数ホッピング位置が４つである場合、各周波数ホッピング周期（図において４つのＳＣ−ＦＤＭＡ符号が１つの周波数ホッピング周期である）において電力制御パラメータ１、２を交互に使用する場合、即ち端末の隣接する周波数ホッピング周期の間の同じ周波数領域位置で使用する電力制御パラメータが異なることを示す。同一の周波数ホッピング周期内に各時間領域位置で同じ電力制御パラメータを使用する。
【００９１】
図６は、周波数領域の周波数ホッピング位置が３つである場合、各周波数ホッピング周期（図において３つのＳＣ−ＦＤＭＡ符号が１つの周波数ホッピング周期である）において電力制御パラメータ１、２を交互に使用する場合、即ち端末の隣接する周波数ホッピング周期の間の同じ周波数領域位置で使用する電力制御パラメータが異なることを示す。同一の周波数ホッピング周期内に各時間領域位置で同じ電力制御パラメータを使用する。
【００９２】
2016535471.tif 000019
【００９３】
ＳＲＳリソースとは、時間領域位置及び/又は周波数領域位置である。異なるＳＲＳリソースが異なる電力制御パラメータを使用することは、異なる時間領域位置及び/又は周波数領域位置で異なる電力制御パラメータを使用することである。
【００９４】
Trigger type 0 SRS をサブフレーム２、７内で送信する。
【００９５】
図７は、周波数領域の周波数ホッピング位置が３である場合、各周波数ホッピング周期に電力制御パラメータ１、２を交互に使用する場合、即ち端末の隣接する周波数ホッピング周期の間の同じ周波数領域位置で使用する電力制御パラメータが異なることを示す。同一の周波数ホッピング周期内に各時間領域位置で同じ電力制御パラメータを使用する。
【００９６】
2016535471.tif 000020
【００９７】
2016535471.tif 000021
【００９８】
２つのＳＲＳプロセスを設定する。２つのＳＲＳプロセスの時間領域位置が異なり（周期及びサブフレームオフセットにより独立に設定する）、周波数領域位置が異なる（周波数領域開始ＰＲＢ及び/又は周波数ホッピングパラメータにより独立に設定する）。 
【００９９】
図８に示すように、Trigger type 0 SRSに対して、プロセス１の周期を５msとし、サブフレームオフセットを０とし、プロセス２の周期を５msとし、サブフレームオフセットを２とし、プロセス１、２は電力制御パラメータ１、２をそれぞれ使用する。
【０１００】
また、プロセス１、２は異なる周波数領域コームを使用してもよく、例えばプロセス１、２はそれぞれ周波数領域コーム設定０、１を使用し、プロセス１、２は異なる循環シフトを使用してもよく、例えばプロセス１、２は循環シフト０、４をそれぞれ使用する。
【０１０１】
2016535471.tif 000022
【０１０２】
2016535471.tif 000023
【０１０３】
３つのＳＲＳプロセスを設定する。３つのＳＲＳプロセスの時間領域位置が異なる（周期及びサブフレームオフセットにより独立に設定する）。
【０１０４】
図９に示すように、Trigger type 0 SRSに対して、プロセス１の周期を５msとし、サブフレームオフセットを０とし、プロセス２の周期を５msとし、サブフレームオフセットを２とし、プロセス３について、プロセス３の周期を１０msとし、サブフレームオフセットを１とし、プロセス１、２、３は電力制御パラメータ１、２、３をそれぞれ使用する。
【０１０５】
2016535471.tif 000024
【０１０６】
2016535471.tif 000025
【０１０７】
ＳＲＳリソースとは、時間領域位置及び/又は周波数領域位置である。異なるＳＲＳリソースが異なる電力制御パラメータを使用することは、異なる時間領域位置及び/又は周波数領域位置で異なる電力制御パラメータを使用することである。
【０１０８】
Trigger type 0 SRSをＵｐＰＴＳ内で送信し、且つ１つのＵｐＰＴＳ内に２つの符号はＳＲＳ（２ms周期）に用いられる。
【０１０９】
図１０は、周波数領域の周波数ホッピング位置が３つである場合、隣接するＳＲＳを送信する時点で異なる電力制御パラメータを使用する、即ち端末の隣接する周波数ホッピング周期の間の同じ周波数領域位置で使用する電力制御パラメータが異なり、同一の周波数ホッピング周期内に、隣接する時間領域位置の間で異なる電力制御パラメータを交互に使用することを示す。
【０１１０】
図１１は、周波数領域の周波数ホッピング位置が２つである場合、隣接するＳＲＳを送信する時点で同一及び異なる電力制御パラメータを交互に使用する、即ち端末の隣接する周波数ホッピング周期の間の同じ周波数領域位置で使用する電力制御パラメータが異なり、同一の周波数ホッピング周期内に、隣接する時間領域位置の間で異なる電力制御パラメータを交互に使用することを示す。同一の周波数ホッピング周期内に隣接する２つの時間領域位置組合せにおける対応する時間領域位置で異なる電力制御パラメータを交互に使用する（ここで、１つの周波数ホッピング周期内に隣接する位置組合せの数が１である）ことにも相当する。
【０１１１】
図１２は、周波数領域の周波数ホッピング位置が４つである場合、隣接するＳＲＳ送信時点で同一及び異なる電力制御パラメータを交互に使用する、即ち端末の隣接する周波数ホッピング周期の間の同じ周波数領域位置で使用する電力制御パラメータが異なり、同一の周波数ホッピング周期内に隣接する２つの時間領域位置組合せにおける対応する時間領域位置で異なる電力制御パラメータを交互に使用する（ここで、１つの周波数ホッピング周期内に隣接する位置組合せの数が２である）ことを示す。
【０１１２】
2016535471.tif 000026
【０１１３】
2016535471.tif 000027
【０１１４】
シグナリング指示に基づいてＳＲＳリソースが使用する電力制御パラメータを確定することは、具体的に以下の方式により実現する。
【０１１５】
基地局は端末に、下記の３つのＳＲＳ設定を設定する。
ＳＲＳ設定１：周波数領域コーム設定を０とし、開始物理リソースブロックインデックスを０とし、周期及びサブフレームオフセット設定を１０とする（表３に示し、５msを周期とし、サブフレーム設定を０とする）。
ＳＲＳ設定２：周波数領域コーム設定を１とし、開始物理リソースブロックインデックスを０とし、周期及びサブフレームオフセット設定を１０とする（表３に示し、５msを周期とし、サブフレーム設定を０とする）。
ＳＲＳ設定３：周波数領域コーム設定を０とし、開始物理リソースブロックインデックスを０とし、周期及びサブフレームオフセット設定を１４とする（表３に示し、５msを周期とし、サブフレーム設定を４とする）。
【０１１６】
３つのＳＲＳ設定のＳＲＳ帯域幅設定、循環シフト設定、アンテナポート数設定は、いずれも同じである。
【０１１７】
ＳＲＳ設定１、３は、電力制御パラメータ１に対応し、ＳＲＳ設定２は、電力制御パラメータ２に対応する。
【０１１８】
図１３に示すように、シグナリング指示によりＳＲＳ設定１、３を送信する場合、電力制御パラメータ１を使用してＳＲＳを送信し、シグナリング指示によりＳＲＳ設定２を送信する場合、電力制御パラメータ２を使用してＳＲＳを送信する。
【０１１９】
シグナリングとＳＲＳ送信位置との間のタイミング関係は、シグナリングの時間領域位置がサブフレームｎであると、ＳＲＳの時間領域位置ｎ＋ｋを送信することであり、ｋ≧４であり、且つサブフレームｎ＋ｋを特定のＳＲＳ設定リソースを含むアップリンクサブフレームになるようにする。
【０１２０】
2016535471.tif 000028
【０１２１】
2016535471.tif 000029
【０１２２】
ＳＲＳリソースとは、時間領域位置である。異なるＳＲＳリソースが異なる電力制御パラメータを使用することは、異なる時間領域位置で異なる電力制御パラメータを使用することである。
【０１２３】
ＳＲＳ リソースはＵｐＰＴＳ内にあり、周期が５msであり、ＵｐＰＴＳ内の第１個の符号がＳＲＳに用いられ、且つＳＲＳリソースはTrigger type 1 SRS又はTrigger type 0 SRSに用いられる。
【０１２４】
図１４は、Trigger type 0 SRSに対して各時間領域位置で電力制御パラメータ１、２を交互に使用する場合を示す。
【０１２５】
図１５は、Trigger type 1 SRSに対して、各可能な時間領域位置で電力制御パラメータ１、２を交互に使用する場合を示す。Trigger type 1 SRSのトリガー命令とＳＲＳの実際の送信位置との間のタイミング関係は、シグナリングの時間領域位置がサブフレームｎであると、ＳＲＳの時間領域位置ｎ＋ｋを送信することであり、ｋ≧４であり、且つサブフレームｎ＋ｋは特定のＳＲＳ設定リソースを含むアップリンクサブフレームである。
【０１２６】
2016535471.tif 000030
【０１２７】
2016535471.tif 000031
【０１２８】
２つのＳＲＳプロセスを設定する。２つのＳＲＳプロセスの時間領域位置は異なる（周期及びサブフレームオフセットにより独立に設定する）。
【０１２９】
図１６に示すように、Trigger type 1 SRSに対して、プロセス１の周期を５msとし、サブフレームオフセットを０とし、プロセス２の周期を５msとし、サブフレームオフセットを３とし、プロセス１、２は電力制御パラメータ１、２をそれぞれ使用する。Trigger type 1 SRSのトリガー命令とＳＲＳの実際の送信位置との間のタイミング関係は、シグナリングの時間領域位置がサブフレームｎであると、ＳＲＳの時間領域位置ｎ＋ｋを送信することであり、ｋ≧４であり、且つサブフレームｎ＋ｋはＳＲＳリソースを含むアップリンクサブフレームである（プロセス１又はプロセス２のＳＲＳリソースである可能性がある）。
【０１３０】
また、プロセス１、２は異なる周波数領域コームを使用してもよく、例えばプロセス１、２は周波数領域コーム設定０、１をそれぞれ使用し、プロセス１、２は異なる循環シフトを使用してもよく、例えばプロセス１、２は循環シフト０、４をそれぞれ使用し、プロセス１、２は異なる周波数領域位置を使用してもよく（周波数領域開始ＰＲＢ及び/又は周波数ホッピングパラメータにより独立に設定する）、プロセス１、２は異なる帯域幅を使用してもよい。
【０１３１】
2016535471.tif 000032
【０１３２】
2016535471.tif 000033
【０１３３】
ＳＲＳリソースとは、時間領域位置及び/又は周波数領域位置である。異なるＳＲＳリソースが異なる電力制御パラメータを使用することは、異なる時間領域位置及び/又は周波数領域位置で異なる電力制御パラメータを使用することである。
【０１３４】
Trigger type 0 SRSをＵｐＰＴＳ内で送信し、且つ１つのＵｐＰＴＳ内にＳＲＳ（２ms周期）に用いる２つの符号がある。
【０１３５】
２本のアンテナを利用してアンテナ選択機能のオンを行う場合。
【０１３６】
図１７は、周波数領域の周波数ホッピング位置が３つである場合、端末が１本のアンテナで隣接する２つの周波数ホッピング周期の同じ周波数領域位置で２つの電力制御パラメータを交互に使用してＳＲＳを送信した後、他の１本のアンテナを利用して他の２つの隣接する２つの周波数ホッピング周期の同じ周波数領域位置で２つの電力制御パラメータを交互に使用してＳＲＳを送信することを示す。同一の周波数ホッピング周期内に、隣接する時間領域位置の間で異なる電力制御パラメータを交互に使用する。
【０１３７】
図１８は、周波数領域の周波数ホッピング位置が４つである場合、端末が１本のアンテナで隣接する２つの周波数ホッピング周期の同じ周波数領域位置で２つの電力制御パラメータを交互に使用してＳＲＳを送信した後、他の１本のアンテナを利用して他の２つの隣接する２つの周波数ホッピング周期の同じ周波数領域位置で２つの電力制御パラメータを交互に使用してＳＲＳを送信することを示す。同一の周波数ホッピング周期内に隣接する２つの時間領域位置組合せにおける対応する時間領域位置で異なる電力制御パラメータを交互に使用する（ここで、１つの周波数ホッピング周期内に隣接する位置組合せの数が２である）。
【０１３８】
2016535471.tif 000034
【０１３９】
2016535471.tif 000035
【０１４０】
ＳＲＳリソースとは、時間領域位置及び/又は周波数領域位置である。異なるＳＲＳリソースが異なる電力制御パラメータを使用することは、異なる時間領域位置及び/又は周波数領域位置で異なる電力制御パラメータを使用することである。
【０１４１】
Trigger type 0 SRSをＵｐＰＴＳ内で送信し、且つ１つのＵｐＰＴＳ内にＳＲＳ（２ms周期）に用いる２つの符号がある。
【０１４２】
２本のアンテナを利用してアンテナ選択機能のオンを行う場合。
【０１４３】
図１９は、周波数領域の周波数ホッピング位置が３つである場合、端末が１つの電力制御パラメータを用いて隣接する２つの周波数ホッピング周期の同じ周波数領域位置で２本のアンテナを交互に使用してＳＲＳを送信した後、他の１つの電力制御パラメータを利用して他の２つの隣接する２つの周波数ホッピング周期の同じ周波数領域位置で２本のアンテナを交互に使用してＳＲＳを送信することを示す。同一の周波数ホッピング周期内に隣接する時間領域位置の間で異なるアンテナを交互に使用する。
【０１４４】
図２０は、周波数領域の周波数ホッピング位置が４つである場合、端末が１つの電力制御パラメータを用いて隣接する２つの周波数ホッピング周期の同じ周波数領域位置で２本のアンテナを交互に使用してＳＲＳを送信した後、他の１つの電力制御パラメータを利用して他の２つの隣接する２つの周波数ホッピング周期の同じ周波数領域位置で２本のアンテナを交互に使用してＳＲＳを送信することを示す。同一の周波数ホッピング周期内に隣接する２つの時間領域位置組合せにおける対応する時間領域位置で異なるアンテナを交互に使用する（ここで、１つの周波数ホッピング周期内に隣接する位置組合せの数が２である）。
【０１４５】
装置の実施例
本発明の実施例は、時分割複信システムにおける測定参照信号の電力制御パラメータの設定システムを開示し、それぞれ端末と基地局に適用され、図２３と２４に示す。
【０１４６】
時分割複信システムにおける測定参照信号の電力制御パラメータの設定システムであって、端末に適用され、
測定参照信号ＳＲＳリソースの電力制御パラメータを確定するための電力制御パラメータ確定モジュール、
前記電力制御パラメータにより測定参照信号の送信電力を確定するための送信電力確定モジュール、
前記確定された測定参照信号ＳＲＳの送信電力により前記測定参照信号ＳＲＳを送信するための送信モジュール、を含む。
【０１４７】
時分割複信システムにおける測定参照信号の電力制御パラメータの設定システムであって、基地局に適用され、
ＳＲＳリソースにおいて端末が使用する電力制御パラメータを確定するための電力制御パラメータ確定モジュール、
前記電力制御パラメータに基づいてＳＲＳ信号を受信するための受信モジュール、を含む。
【０１４８】
上記は本発明の好ましい実施例に過ぎず、本発明を制限するためのものではない。当業者においては、本発明について各種の変更及び変形を行うことができる。本発明の趣旨と原則の範囲内で行ったいかなる修正、等価置換、改良等は、いずれも本発明の保護範囲の内に含まれるべきである。
【産業上の利用可能性】
【０１４９】
本発明の実施例は、以下の（1）〜（3）の有益な効果を奏する。
【０１５０】
（1）柔軟性がより良く、ＴＤＤモードのアップリンクリソース利用率を向上させることができる。本発明の提示した方法に基づいて、異なる電力制御パラメータを使用するＳＲＳは任意のアップリンクサブフレーム（固定アップリンクサブフレーム、動的サブフレーム及びＵｐＰＴＳを含む）において送信することができ、且つＳＲＳ周期が５msよりも小さいことを要求しない。ＳＲＳはＵｐＰＴＳにおいて送信する場合、アップリンクサブフレームリソースを節約することができ、データ伝送に用いる。ＳＲＳ周期が５msよりも大きい場合、ＳＲＳのオーバーヘッドを低減させることができる。
【０１５１】
（2）サブフレームが伝送方向を変更する場合、異なる電力制御パラメータのＳＲＳの送信及び対応するチャンネル測定に影響しない。各サブフレームグループのＰＵＳＣＨの電力制御及びリンク適応性能を保証する。
【０１５２】
（3）本発明の実施例の提示した方法は固定アップリンクサブフレームにおいて異なる電力制御パラメータに対してＳＲＳを送信することをサポートするため、サブフレーム伝送方向の関連シグナリングに対する依存性が高くない。
【図１】
2016535471.tif 000040
【図２】
2016535471.tif 000041
【図３】
2016535471.tif 000042
【図４】
2016535471.tif 000043
【図５】
2016535471.tif 000044
【図６】
2016535471.tif 000045
【図７】
2016535471.tif 000046
【図８】
2016535471.tif 000047
【図９】
2016535471.tif 000048
【図１０】
2016535471.tif 000049
【図１１】
2016535471.tif 000050
【図１２】
2016535471.tif 000051
【図１３】
2016535471.tif 000052
【図１４】
2016535471.tif 000053
【図１５】
2016535471.tif 000054
【図１６】
2016535471.tif 000055
【図１７】
2016535471.tif 000056
【図１８】
2016535471.tif 000057
【図１９】
2016535471.tif 000058
【図２０】
2016535471.tif 000059
【図２１】
2016535471.tif 000060
【図２２】
2016535471.tif 000061
【図２３】
2016535471.tif 000062
【図２４】
2016535471.tif 000063
【手続補正書】
【提出日】平成28年3月28日(2016.3.28)
【手続補正１】
【補正対象書類名】特許請求の範囲
【補正対象項目名】全文
【補正方法】変更
【補正の内容】
【特許請求の範囲】
【請求項１】
時分割複信システムにおける測定参照信号の電力制御パラメータの設定方法であって、端末に適用され、
端末が測定参照信号ＳＲＳリソースの電力制御パラメータを確定し、前記電力制御パラメータにより測定参照信号の送信電力を確定することと、
端末が前記確定された測定参照信号ＳＲＳの送信電力により前記測定参照信号ＳＲＳを送信することと、を含む時分割複信システムにおける測定参照信号の電力制御パラメータの設定方法。
【請求項２】
2016535471.tif 000064
【請求項３】
2016535471.tif 000065
【請求項４】
前記ＳＲＳリソースは、時間領域位置、周波数領域位置、周波数領域コーム、シーケンス循環シフトの中の少なくとも１種を含む請求項１に記載の方法。
【請求項５】
前記端末が測定参照信号ＳＲＳリソースの電力制御パラメータを確定することは、
前記端末が前記基地局により設定されたＳＲＳプロセスにより電力制御パラメータを確定することを含み、異なるＳＲＳプロセスは異なるＳＲＳリソースを含み、前記異なるＳＲＳリソース又は異なるＳＲＳプロセスは異なる電力制御パラメータに対応する請求項１に記載の方法。
【請求項６】
前記ＳＲＳプロセスが１つである場合、該ＳＲＳプロセスの対応するＳＲＳリソースは同じ電力制御パラメータを使用し、
好ましいのは、
端末の物理アップリンクシェアチャンネルＰＵＳＣＨを伝送するすべてのサブフレームが１つのサブフレームグループに属する場合、前記ＳＲＳプロセス数は１である請求項５に記載の方法。
【請求項７】
前記端末が測定参照信号ＳＲＳリソースの電力制御パラメータを確定することは、
前記端末が異なる時間領域位置で使用された電力制御パラメータを確定することを含む請求項１に記載の方法。
【請求項８】
電力制御パラメータが２つであり且つ２本のアンテナを利用してアンテナ選択機能のオンを行う場合、端末は１本のアンテナを用いて隣接する２つの周波数ホッピング周期の同じ周波数領域位置で２つの電力制御パラメータを交互に使用してＳＲＳを送信した後、他の１本のアンテナを利用して他の２つの隣接する２つの周波数ホッピング周期の同じ周波数領域位置で２つの電力制御パラメータを交互に使用してＳＲＳを送信し、
又は
電力制御パラメータが２つであり且つ２本のアンテナを利用してアンテナ選択機能のオンを行う場合、端末は１つの電力制御パラメータを用いて隣接する２つの周波数ホッピング周期の同じ周波数領域位置で２本のアンテナを交互に使用してＳＲＳを送信した後、他の１つの電力制御パラメータを利用して他の２つの隣接する２つの周波数ホッピング周期の同じ周波数領域位置で２本のアンテナを交互に使用してＳＲＳを送信する請求項７に記載の方法。
【請求項９】
同一の周波数ホッピング周期内に隣接する時間領域位置の間で異なるアンテナを交互に使用し、及び/又は同一の周波数ホッピング周期内に隣接する２つの時間領域位置組合せにおける対応する時間領域位置で異なるアンテナを交互に使用する請求項８に記載の方法。
【請求項１０】
前記端末が測定参照信号ＳＲＳリソースの電力制御パラメータを確定することは、
前記端末が基地局のシグナリング指示に基づいてＳＲＳリソースの前記電力制御パラメータを確定することを含む請求項１に記載の方法。
【請求項１１】
前記端末が基地局のシグナリング指示に基づいてＳＲＳリソースの電力制御パラメータを確定することは、
前記端末が基地局の物理層シグナリングを受信し、該シグナリングが端末の使用するＳＲＳリソース設定を指示する場合、前記端末がＳＲＳリソース設定と電力制御パラメータとの関連関係に基づいて前記ＳＲＳリソース設定に対応する電力制御パラメータを確定することを含む請求項１０に記載の方法。
【請求項１２】
前記物理層シグナリングがダウンリンク制御情報DCI（Downlink Control Information）format 4である請求項１１に記載の方法。
【請求項１３】
前記ＳＲＳリソース設定は、周波数領域コーム設定、開始物理リソースブロックインデックス、周期及びサブフレームオフセット設定、ＳＲＳ帯域幅設定、シーケンス循環シフト設定、アンテナポート数設定の中の少なくとも１種を含む請求項１１に記載の方法。
【請求項１４】
前記ＳＲＳリソースはtrigger type 0 SRS及び/又はtrigger type 1 SRSに用いられる請求項１に記載の方法。
【請求項１５】
前記ＳＲＳリソースはtrigger type 1 SRSに用いられる場合、端末は物理層トリガーシグナリングの時間領域位置に基づいて、ＳＲＳを送信する時間領域位置及び対応する電力制御パラメータを確定する請求項１４に記載の方法。
【請求項１６】
端末が物理層トリガーシグナリングの時間領域位置に基づいて、ＳＲＳを送信する時間領域位置を確定することは、
物理層トリガーシグナリングの時間領域位置がサブフレームｎであると、ＳＲＳの時間領域位置ｎ＋ｋを送信することを含み、ｋ≧４であり、且つサブフレームｎ＋ｋはＳＲＳリソースを含むアップリンクサブフレームであり、
好ましいのは、
前記アップリンクサブフレームは、固定アップリンクサブフレーム及び/又は動的サブフレームから変化されたアップリンクサブフレームを含み、前記動的サブフレームは異なる周期において伝送方向が異なるサブフレームであり、前記周期が６４０ミリ秒よりも小さい請求項１５に記載の方法。
【請求項１７】
時分割複信システムにおける測定参照信号の電力制御パラメータの設定方法であって、基地局に適用され、
基地局はＳＲＳリソースにおいて端末が使用する電力制御パラメータを確定することと、
基地局が前記電力制御パラメータに基づいてＳＲＳ信号を受信することと、を含む時分割複信システムにおける測定参照信号の電力制御パラメータの設定方法。
【請求項１８】
時分割複信システムにおける測定参照信号の電力制御パラメータの設定システムであって、端末に適用され、
測定参照信号ＳＲＳリソースの電力制御パラメータを確定するように設定される電力制御パラメータ確定モジュール、
前記電力制御パラメータにより測定参照信号の送信電力を確定するように設定される送信電力確定モジュール、
前記確定された測定参照信号ＳＲＳの送信電力により前記測定参照信号ＳＲＳを送信するように設定される送信モジュール、を含む時分割複信システムにおける測定参照信号の電力制御パラメータの設定システム。
【請求項１９】
時分割複信システムにおける測定参照信号の電力制御パラメータの設定システムであって、基地局に適用され、
ＳＲＳリソースにおいて端末が使用する電力制御パラメータを確定するように設定される電力制御パラメータ確定モジュール、
前記電力制御パラメータに基づいてＳＲＳ信号を受信するように設定される受信モジュール、を含む時分割複信システムにおける測定参照信号の電力制御パラメータの設定システム。
【国際調査報告】
2016535471.tif 000066
2016535471.tif 000067
2016535471.tif 000068
2016535471.tif 000069